(57)【要約】【課題】  特殊形状や大形の容器の場合にも、キャップ締付トルクを、容易に且つ精度良く測定できる、手動用のキャップ締付トルク測定装置を提供することを目的とする。【解決手段】  キャップＰに係合しキャップＰの軸方向に延出する回転軸２と、一端が回転軸２に固定され、回転軸２の軸方向に直交する向きに延出するキャップ回転レバー３とを備え、オペレータが、荷重計４をキャップ回転レバー３に押し当てて荷重を加え、キャップの締付トルクを算出するキャップ締付トルク測定装置であって、回転軸２に回動自在に係合し、回転軸２と直交する向きに延出しその先端に荷重計４を保持する保持部６ａを有する荷重計載置回動レバー６を備え、荷重計４が、荷重計載置回動レバー６を介して回転軸２周りに回動自在に保持され、回転軸２周りに回動しキャップＰに回転トルクを加えるように構成されている。【選択図】  図１
2006177851.tif 000002
【特許請求の範囲】
【請求項１】
容器の口部に羅合するキャップに係合しキャップの軸方向に延出する回転軸と、
一端が前記回転軸に固定され、該回転軸の軸方向と直交する向きに延出するキャップ回転レバーと、
を備え、
前記荷重計を前記キャップ回転レバーに押し当てて前記回転軸の軸方向と直交する向きに荷重を加え、該キャップ回転レバーの回動中心から荷重が加えられる作用点に至る距離と荷重とに基づいて、前記容器の口部に対するキャップの締付トルクを検出する手動式のキャップ締付トルク測定装置であって、
一端が前記回転軸に回動自在に係合し、該回転軸と直交する向きに延出し他端に前記荷重計を保持する保持部を有する荷重計載置回動レバーを備え、
前記荷重計が、前記荷重計載置回動レバーを介して、前記回転軸周りに回動自在に保持され、該回転軸周りに回動し前記キャップに回転トルクを加えるように構成されている、
ことを特徴とするキャップ締付トルク測定装置。
【請求項２】
前記キャップ回転レバーの他端側に、該キャップ回転レバーを、回動中心から所定の距離で回動方向に挟着する保持具を備え、前記保持具に前記荷重計の測定端子部を押し当てて、該保持具を介して、前記キャップ回転レバーに回動方向の荷重を加えるように構成されている、
ことを特徴とする請求項１に記載のキャップ締付トルク測定装置。
【請求項３】
前記保持具は、コの字状に形成されて、その相対向する両壁に、内側に突出する凸部を備え、
前記キャップ回転レバーは、前記凸部を介して前記保持具に挟着されている、
ことを特徴とする請求項２に記載のキャップ締付トルク測定装置。
【請求項４】
前記保持具の前記荷重計側に配設される外面には、前記荷重計の測定端子に向かって凸となる第二の凸部が備えられ、
前記荷重計の測定端子部が、前記第二の凸部に当接して前記キャップ回転レバーに荷重を加えるように構成されている、
ことを特徴とする請求項２又は請求項３の何れか記載のキャップ締付トルク測定装置。
【請求項５】
前記ベアリングは、転動体を介して外輪と内輪とが互いに回動するように構成され、
前記外輪には荷重計載置回動レバーの一端が固定され、
前記内輪には、その中心孔に前記回転軸が挿通されて軸方向に係止されている、
ことを特徴とする請求項１乃至請求項４の何れか記載のキャップ締付トルク測定装置。
【発明の詳細な説明】
【技術分野】
【０００１】
本発明は、容器の口部とキャップとの締付トルクを、手動によって精度良く測定できるキャップ締付トルク測定装置に関する。
【背景技術】
【０００２】
従来、容器の口部とこの口部に羅合するキャップとの締付トルクを測定するための、キャップ締付トルク測定装置が知られている。また、キャップ締付装置には、電動力によってキャップを回転させ、トルクゲージによってその回転トルク（キャップ締付トルク）を検出する電動式タイプがある（例えば、特許文献１参照）。
【特許文献１】特開平７-１３４０７６号公報
【発明の開示】
【発明が解決しようとする課題】
【０００３】
しかしながら、電動式タイプのキャップ締付装置は、一般に汎用型の容器に適合するように構成されているので、キャップ締付トルクを測定する際に、特殊形状や大形の容器を所定の位置に設置することが困難になる場合がある。
【０００４】
そこで、本発明は、特殊形状や大形の容器の場合でも、容易に且つ精度良く、キャップ締付トルクを測定できるキャップ締付トルク測定装置を提供することを目的とする。
【課題を解決するための手段】
【０００５】
かかる目的を達成するためになされた請求項１に記載の発明は、容器の口部に羅合するキャップに係合しキャップの軸方向に延出する回転軸と、一端が前記回転軸に固定され、該回転軸の軸方向と直交する向きに延出するキャップ回転レバーと、を備え、前記荷重計を前記キャップ回転レバーに押し当てて前記回転軸の軸方向と直交する向きに荷重を加え、該キャップ回転レバーの回動中心から荷重が加えられる作用点に至る距離と荷重とに基づいて、前記容器の口部に対するキャップの締付トルクを検出する手動式のキャップ締付トルク測定装置であって、一端が前記回転軸に回動自在に係合し、該回転軸と直交する向きに延出し他端に前記荷重計を保持する保持部を有する荷重計載置回動レバーを備え、前記荷重計が、前記荷重計載置回動レバーを介して、前記回転軸周りに回動自在に保持され、該回転軸周りに回動し前記キャップに回転トルクを加えるように構成されている、ことを特徴とする。
【０００６】
請求項１に記載のキャップ締付トルク測定装置によれば、一端が回転軸に回動自在に係合し、回転軸と直交する向きに延出し他端に荷重計を保持する保持部を有する荷重計載置回動レバーを備え、前記荷重計が、前記荷重計載置回動レバーを介して、回転軸周りに回動自在に保持され、回転軸周りに回動しキャップに回転トルクを加えるように構成されているので、オペレータが手動によって操作しても、回転軸の回動中心から荷重が加えられる作用点までの距離及び荷重の向きが精度良く構成され、大形の容器や特殊形状の容器であっても、キャップ締付トルクを、容易に且つ精度良く測定できる。
【０００７】
次に、請求項２に記載の発明は、請求項１に記載のキャップ締付トルク測定装置において、前記キャップ回転レバーの他端側に、該キャップ回転レバーを、回動中心から所定の距離で回動方向に挟着する保持具を備え、前記保持具に前記荷重計の測定端子部を押し当てて、該保持具を介して、前記キャップ回転レバーに回動方向の荷重を加えるように構成されている、ことを特徴とする。
【０００８】
請求項２に記載のキャップ締付トルク測定装置によれば、キャップ回転レバーを回動中心から所定の距離で回動方向に挟着する保持具を備え、保持具に荷重計の測定端子部を押し当てて、保持具を介して、キャップ回転レバーに回動方向の荷重を加えるように構成されているので、回転軸の回動中心から荷重計の測定端子部が押し当てられる作用点までの距離を精度良く調整できる。
【０００９】
次に、請求項３に記載の発明は、請求項２に記載のキャップ締付トルク測定装置において、前記保持具は、コの字状に形成されて、その相対向する両壁に、内側に突出する凸部を備え、前記キャップ回転レバーは、前記凸部を介して前記保持具に挟着されている、ことを特徴とする。
【００１０】
請求項３に記載のキャップ締付トルク測定装置によれば、キャップ回転レバーが、凸部を介して保持具に挟着されているので、保持具を介して、キャップ回転レバーに対する荷重の作用点を精度良く構成できる。
【００１１】
次に、請求項４に記載の発明は、請求項２又は請求項３の何れか記載のキャップ締付トルク測定装置において、前記保持具の前記荷重計側に配設される外面には、前記荷重計の測定端子に向かって凸となる第二の凸部が備えられ、前記荷重計の測定端子が、前記第二の凸部に当接して前記キャップ回転レバーに荷重を加えるように構成されている、ことを特徴とする。
【００１２】
請求項４に記載のキャップ締付トルク測定装置によれば、保持具の荷重計側に配設される外面には、荷重計の測定端子に向かって凸となる第二の凸部が備えられ、荷重計の測定端子が、第二の凸部に当接してキャップ回転レバーに荷重を加えるように構成されているので、第二の凸部を介して、保持具に精度良く荷重を加えることがでる。
【００１３】
また、請求項１乃至請求項４の何れか記載のキャップ締付トルク測定装置は、請求項５に記載の発明のように、前記ベアリングは、転動体を介して外輪と内輪とが互いに回動するように構成され、前記外輪には荷重計載置回動レバーの一端が固定され、前記内輪には、その中心孔に前記回転軸が挿通されて軸方向に係止されている、ことにより、荷重計載置回動レバーを回転軸周りに回動自在に保持することができ、荷重計が荷重計載置回動レバーを介して回転軸周りに回動しながらキャップに回転トルクを加えることができる。
【発明の効果】
【００１４】
本発明のキャップ締付トルク測定装置によれば、一端が回転軸に回動自在に係合し、回転軸と直交する向きに延出し他端に荷重計を保持する保持部を有する荷重計載置回動レバーを備え、荷重計が、荷重計載置回動レバーを介して、回転軸周りに回動自在に保持され、回転軸周りに回動しながら前記キャップに回転トルクを加えるように構成されているので、オペレータが手動によって操作しても、回転軸の回動中心から荷重が加えられる作用点までの距離及び荷重の向きが精度良く構成され、大形の容器や特殊形状の容器の場合であっても、キャップ締付トルクを、容易に且つ精度良く測定できる。
【発明を実施するための最良の形態】
【００１５】
次に、本発明のキャップ締付装置の一実施例を図面にもとづいて説明する。図１は、本発明の一実施例のキャップ締付トルク測定装置の外観図であって、（ａ）が平面図、（ｂ）が側面図である。図２は、図１中における荷重計を省いて表した同実施例のキャップ締付トルク測定装置の外観図であって、（ａ）が平面図、（ｂ）が側面図である。図３は、図２におけるＺ−Ｚ断面図である。
【００１６】
図１、図２に表したように、キャップ締付トルク測定装置１は、容器Ｃの口部に羅合するキャップＰにキャップ保持具１２を介して係合しキャップＰの軸方向に延出する回転軸２と、一端が回転軸２に固定され、回転軸２の軸（図中の符号Ｙ―Ｙ軸）方向と直交する向きに延出するキャップ回転レバー３と、を備え、荷重計４をキャップ回転レバー３に押し当てて回転軸２の軸方向と直交する向きに荷重を加え、キャップ回転レバー３の回動中心から荷重が加えられる作用点に至る距離（図中の符号Ｌの距離）と荷重とに基づいて、容器Ｃの口部に対するキャップＰの締付トルクを検出するように構成されている。
【００１７】
キャップＰには、その外周に沿って複数の溝Ｑが並設され、キャップ保持具１２には、開口穴１２ａが形成され、その内周に沿って複数の溝Ｑに係合する複数の突起１２ｂが並設されている。そして、キャップ保持具１２は、キャップＰを開口穴１２ａ内に収納して回転方向に係合するように構成されている。
【００１８】
回転軸２は、下方がキャップ保持具に１２に係合し、上方の外周部がキャップ回転レバー３の一端側に溶接等によって固定されている。
【００１９】
次に、キャップ締付トルク測定装置１は、一端側がベアリング５を介して回転軸２に回動自在に係合し、回転軸２と直交する向きに延出する荷重計載置回動レバー６を備えている。荷重計載置回動レバー６は、他端側に荷重計４を保持する保持部６ａを備えている。そして、キャップ締付トルク測定装置１は、荷重計４が、荷重計載置回動レバー６を介して回転軸２周りに回動自在に保持されて回転軸２周りに回動し、キャップＰに回転トルクを加えるように構成されている。
【００２０】
図２に表したように、荷重計載置回動レバー６には、保持部６ａに荷重計４を固定するための取り付け孔６ｃが複数形成され、荷重計４には、複数の取り付け孔６ｃの夫々に重なる複数のネジ穴（図示せず）が形成され、保持部６ａと荷重計４とが取り付け孔６ｃ及びのネジ穴（図示せず）を介してネジ止めされるように構成されている。
【００２１】
また、荷重計載置回動レバー６は、回転軸２側に配設される一端側に、環状部６ｂを備えて環状部材７がネジ止めされ、ベアリング５の外輪５ｃを、環状部６ｂと環状部材７とによって挟着して固定できるように構成されている。
【００２２】
次に、図１に表したように、キャップ締付トルク測定装置１は、キャップ回転レバー３の他端側に、キャップ回転レバー３を、回動中心から所定の距離（図中の符号Ｌ）で回動方向に挟着する保持具８を備え、保持具８に荷重計４の測定端子部４ｆを押し当てて、保持具８を介して、キャップ回転レバー３に回動方向の荷重を加えるように構成されている。
【００２３】
保持具８には、図３に表したように、コの字状に形成されて、その相対向する両壁に、内側に突出する一対の半球状の凸部８ａ、８ｂが備えられ、キャップ回転レバー３が、一対の凸部８ａ、８ｂによって保持具８に挟着されている。また、凸部８ａは、保持具８に羅合するネジ８ｃの先端に形成され、ネジ８ｃの回転によりキャップ回転レバー３に当接したり離間したりできるように構成されている。また、キャップ回転レバー３には、回転レバー３の回動中心から所定の距離において、凸部８ａが嵌合する半球状の凹部３ｆが形成され、保持具８が回転軸２の回動中心から所定の距離（図中の符号Ｌ）で精度良くキャップ回転レバー３に当接できるように構成されている。
【００２４】
また、保持具８の荷重計４側に配設される外面には、荷重計４の測定端子部４ｆに向かって凸となる第二の凸部８ｄが備えられ、荷重計４の測定端子部４ｆが、第二の凸部８ｄに当接して、キャップ回転レバー３に荷重を加えるように構成されている。また、凸部８ａ、凸部８ｂ、第二の凸部８ｄ等は、一直線上に構成されている。
【００２５】
次に、図２に表したように、ベアリング５は、転動体５ａを介して外輪５ｂと内輪５ｃとが互いに回動するように構成されている。そして、外輪５ｂには荷重計載置回動レバー６の一端が固定されている。詳しくは、外輪５ｂが、荷重計載置回動レバー６一端側の環状部６ｂと環状部材７とによって挟着されてネジ１１止めされている。また、外輪５ｂは、環状部６ｂの開口穴に圧入されて固定されている。
【００２６】
また、内輪５ｃは、軸方向に回転軸２の大径部の端面とナット９とに挟まれて、回転軸２に対して軸方向に係止されている。ナット９及び回転軸２には、その外周に沿って互いに螺合する螺旋状のネジが形成されている。
【００２７】
荷重計４には、測定端子部４ｆを介して伝達された荷重をロードセンサを介して検出する検出回路が内蔵されていると共に、その荷重に基づいてキャップ締付トルクを算出する演算回路が内蔵されている。また、荷重計４には、電源キー４ａ、計測結果を表示する液晶ディスプレイ４ｂ、液晶ディスプレイ４ｂに検出した荷重の表示を指令する荷重表示キー４ｃ、演算回路にキャップの締付トルクを算出させると共に液晶ディスプレイ４ｂにその結果を表示させる締付トルク算出キー４ｄ、ゼロ点校正キー４ｅ等が備えらている。また、荷重計４には、電源ケーブル接続コネクタ４ｈ、例えばパーソナルコンピュータ等の外部機器に荷重や締付トルク等のデータを通信するためのインターフェース接続コネクタ４ｇ、等が備えられている。
【００２８】
以下に、前記の構成を有するキャップ締付トルク測定装置１の作用効果を記載する。
【００２９】
本実施例に記載のキャップ締付トルク測定装置１によれば、回転軸２に回動自在に係合し、回転軸２と直交する向きに延出しその先端に荷重計４を保持する保持部６ａを有する荷重計載置回動レバー６を備え、荷重計４が、荷重計載置回動レバー６を介して回転軸２周りに回動自在に保持され、回転軸２周りに回動しながらキャップＰに回転トルクを加えるように構成されているので、オペレータが手動によって操作しても、回転軸２の回動中心から荷重が加えられる作用点までの距離（Ｌ）及び荷重の向きが精度良く構成され、大形の容器や特殊形状の容器の場合であっても、キャップ締付トルクを、容易に且つ精度良く測定できる。
【００３０】
また、本実施例に記載のキャップ締付トルク測定装置１によれば、キャップ回転レバー３を回動中心から所定の距離で回動方向に挟着する保持具８を備え、保持具８に荷重計の測定端子４ｆを押し当てて、保持具８を介して、キャップ回転レバー３に回動方向の荷重を加えるように構成されているので、保持具８を介して、回転軸２の回動中心から荷重計４が押し当てられる作用点までの距離（Ｌ）を精度良く調整できる。
【００３１】
また、保持具８が、コの字状に形成されて、その両内面に相対向する一対の凸部８ａ、８ｂを備え、キャップ回転レバー３が、一対の凸部８ａ、８ｂを介して保持具８に挟着されているので、キャップ回転レバー３に対する荷重の作用点を精度良く構成できる。
【００３２】
また、保持具８の荷重計４側に配設される外面には、荷重計４の測定端子４ｆに向かって凸となる第二の凸部８ｄが備えられ、測定端子部４ｆが、第二の凸部８ｄに当接してキャップ回転レバー３に荷重を加えるように構成されているので、第二の凸部８ｄを介して、保持具８に精度良く荷重を加えることがでる。
【００３３】
以上、本発明の一実施例について説明したが、本発明は、前記実施例に限定されるものでなく、種各の態様を取ることができる。
【００３４】
例えば、本実施例のキャップ締付トルク測定装置１において、荷重計載置回動レバー６に、荷重計４を保持するための保持部６ａを１箇所備えたが、保持部６ａを、荷重計載置回動レバー６の軸方向に所定の間隔で複数備えてもよい。
【００３５】
また、本実施例のキャップ締付トルク測定装置１においては、荷重計４を保持具８に押し当てて反時計回りに、回転軸２を軸に回動するように構成したが、必要に応じて、その反対向きに回動するように構成してもよい。
【図面の簡単な説明】
【００３６】
【図１】本発明の一実施例のキャップ締付トルク測定装置の外観図であって、（ａ）が平面図、（ｂ）が側面図である。
【図２】図１中における荷重計を省いて表した同実施例のキャップ締付トルク測定装置の外観図であって、（ａ）が平面図、（ｂ）が側面図である。図１中の矢印Ａ方向から表した外観図である。
【図３】図２におけるＺ−Ｚ断面図である。
【符号の説明】
【００３７】
１…キャップ締付トルク測定装置、２…回転軸、３…キャップ回転レバー、３ｆ…凹部、４…荷重計、４ａ…電源キー、４ｂ…液晶ディスプレイ、４ｃ…荷重表示キー、４ｄ…締付トルク算出キー、４ｆ…測定端子部、４ｇ…インターフェース接続コネクタ、４ｈ…電源ケーブル接続コネクタ、５…ベアリング、５ａ…転動体、５ｂ…外輪、５ｃ…内輪、６…荷重計載置回動レバー、６ａ…保持部、６ｂ…環状部、６ｃ…取り付け孔、７…環状部材、８…保持具、８ａ，８ｂ…凸部、８ｃ…ネジ、８ｄ…第二の凸部、９…ナット、１０…キャップ締付部、１１…ネジ、１２…キャップ保持具、１２ａ…開口穴。
【図１】
2006177851.tif 000003
【図２】
2006177851.tif 000004
【図３】
2006177851.tif 000005